(57)【要約】      （修正有）【課題】ウイルス等の不活性化機能を維持しつつ、説明等といった所望の表示を表示可能な靴用マットを提供する。【解決手段】第１の靴用マット１００は、表面シート１１０と、表示シート１２０と、支持部材１３０とを主に備える。表面シート１１０は、光透過性を有するシートであって、その表面１１１に所望の抗菌及び／又は抗ウイルス材が適用されており、これにより、表面１１１において抗菌及び／又は抗ウイルス効果を有する。表示シート１２０は、光透過性を有するシートであって、その表面１２１に所望の表示が描かれたシートである。支持部材１３０は、所定の厚みを有するシートであって、所望の折り曲げ強度を有する。【選択図】図２
0003230487.tif 000002
【実用新案登録請求の範囲】
【請求項１】
靴を載置可能であって、抗ウイルス効果を有する表面シートと、
前記表面シートを支持する支持部材と、
前記表面シートと前記支持部材との間に設けられる表示シートと
を備える靴用マット。
【請求項２】
前記表面シートは、抗ウイルス効果を有する請求項１に記載の靴用マット。
【請求項３】
前記表示シートは所望の表示を有し、前記表面シートは光透過性を有する請求項１又は２に記載の靴用マット。
【請求項４】
前記支持部材は、発泡スチロール、厚紙、ウレタン、ゴム、ＥＶＡ、発泡ＰＶＣ、樹脂含侵不織布、繊維、キャンバス生地、ビニール、プラスチック、及び板のいずれか又はこれらの組み合わせから成る請求項１から３のいずれかに記載の靴用マット。
【請求項５】
前記支持部材は、前記靴用マットの端部において少なくとも部分的に隆起する隆起部を備える請求項１から４のいずれかに記載の靴用マット。
【請求項６】
前記隆起部の隆起高さは、前記靴用マットの中心から端部に向けて高くなる請求項５に記載の靴用マット。
【考案の詳細な説明】
【技術分野】
【０００１】
本考案は、所望の表示を有する靴用マットに関する。
【背景技術】
【０００２】
従来、抗ウイルス又はウイルス不活化剤等を適用したマットが知られている（特許文献１）。
【先行技術文献】
【特許文献】
【０００３】
【特許文献１】特開２０２０−１２８３４２号公報
【考案の概要】
【考案が解決しようとする課題】
【０００４】
マットを設置して第三者に利用を促す場合、利用方法や機能などの説明書を表示しなければ、第三者にマットを円滑に利用させることが難しい場合がある。しかし、従来のマットにおいて、ウイルス等を不活性化する面に印刷インクなどをもって説明書を直接印刷した場合、印刷インク等により不活性化する面が部分的に覆われて、不活性化機能を発揮できなくなるおそれがある。
【０００５】
本考案は上記課題に鑑みてなされたものであり、ウイルス等の不活性化機能を維持しつつ、説明等といった所望の表示を表示可能な靴用マットを得ることを目的とする。
【課題を解決するための手段】
【０００６】
本願第１の考案による靴用マットは、靴を載置可能であって、抗ウイルス効果を有する表面シートと、表面シートを支持する支持部材と、表面シートと支持部材との間に設けられる表示シートとを備えることを特徴とする。
【０００７】
表面シートは、抗ウイルス効果を有することが好ましい。また、表示シートは所望の表示を有し、表面シートは光透過性を有することが好ましい。
【０００８】
支持部材は、発泡スチロール、厚紙、ウレタン、ゴム、ＥＶＡ、発泡ＰＶＣ、樹脂含侵不織布、繊維、キャンバス生地、ビニール、プラスチック、及び板のいずれか又はこれらの組み合わせから成ることが好ましい。また、支持部材は、靴用マットの端部において少なくとも部分的に隆起する隆起部を備えてもよく、隆起部の隆起高さは、靴用マットの中心から端部に向けて高くなってもよい。
【考案の効果】
【０００９】
本考案によれば、ウイルス等の不活性化機能を維持しつつ、説明等といった所望の表示を表示可能な靴用マットが提供される。
【図面の簡単な説明】
【００１０】
【図１】第１の実施形態による靴用マットの平面図である。
【図２】靴用マットの右側面図である。
【図３】第２の実施形態による靴用マットの平面図である。
【図４】靴用マットの右側面図である。
【図５】第３の実施形態による靴用マットの右側面図である。
【考案を実施するための形態】
【００１１】
以下、図１及び２を参照して、本考案の第１の実施形態による第１の靴用マット１００について説明する。
【００１２】
第１の靴用マット１００は、表面シート１１０と、表示シート１２０と、支持部材１３０とを主に備える。図１の平面視における第１の靴用マット１００の大きさは、説明のため、幅２６０ｍｍ×奥行き２１０ｍｍとしたが、好ましくはＡ４サイズ（幅２１０ｍｍ×奥行き２９７ｍｍ）、あるいは幅２１０ｍｍ×奥行き２１０ｍｍ、幅２１０ｍｍ×奥行き２６０ｍｍ、幅２１０ｍｍ×奥行き３１０ｍｍであってもよい。図１において左右方向を幅、上下方向を奥行きといい、図２において左右方向を奥行き、上下方向を厚さという。
【００１３】
表面シート１１０は、光透過性を有するシートであって、その表面１１１に所望の抗菌及び／又は抗ウイルス材が適用されており、これにより、表面１１１において抗菌及び／又は抗ウイルス効果、つまり菌及びウイルスの不活性化機能を有する。本明細書では、菌及びウイルスをウイルス等といい、抗ウイルス効果というときには抗菌を含んでもよい。表面シート１１０の表面１１１に載せられて接触するもの、例えば靴の底に付着した様々な菌やウイルスは、表面１１１の抗ウイルス効果によって、所定の感作時間後に著しく減少する。感作時間は例えば３０〜１２０分であって、例えば３０分後に９９％のウイルス等が減少する。
【００１４】
表示シート１２０は、光透過性を有するシートであって、その表面１２１に所望の表示が描かれたシートである。所望の表示は、例えば「ここに靴を置いてください。」といった、第１の靴用マット１００の使用手法を説明する文章、この文章を英語や中国語で示した文章、あるいは靴底の外形を表す画像等である。
【００１５】
支持部材１３０は、所定の厚みを有するシートであって、所望の折り曲げ強度を有する。支持部材１３０の材料として、発泡スチロール、厚紙、ウレタン、ゴム、５ｍｍ厚ＥＶＡ、２ｍｍ又は３ｍｍ厚発泡ＰＶＣ、１．２５ｍｍ厚樹脂含侵不織布、繊維、キャンバス生地（布）、ビニール、プラスチック、板（木材）などのいずれか、又はこれらの組み合わせが用いられうる。
【００１６】
表面シート１１０の裏面１１２に所望の接着剤をもって、表示シート１２０の表面１２１が貼り付けられる。そして、表示シート１２０の裏面１２２に所望の接着剤をもって、支持部材１３０の表面１３１が貼り付けられ、支持部材１３０が表面シート１１０及び表示シート１２０を支持する。これにより、第１の靴用マット１００が作成される。
【００１７】
表面シート１１０は光透過性を有するため、表示シート１２０に描かれた文字や画像は、表面シート１１０を透過して、外部から視認されうる。また、これに加えて表示シート１２０は光透過性を有するため、支持部材１３０の表面１３１は、表示シート１２０及び表面シート１１０を透過して、外部から視認されうる。その表面１３１が特徴的な支持部材１３０、あるいは表面１３１を、マット仕上げや鏡面仕上げ、その他美的に加工すれば、利用者が表面１３１を外部から視認可能となって、第１の靴用マット１００の美感が向上する。
【００１８】
第１の靴用マット１００の使用態様について説明する。第１の靴用マット１００は、例えば靴箱の中に予め設置される。第１の靴用マット１００は、前述のように幅２６０ｍｍ×奥行き２１０ｍｍであるため、一般に広く用いられている靴箱に挿入することができる。靴箱の利用者は、靴箱の中に靴を収納すると、自動的に第１の靴用マット１００の上に靴を置くことになる。第１の靴用マット１００は、接触する靴底に存在するウイルス等を減少させる。利用者が靴箱から靴を取り出すと、既にウイルス等を減少させてある靴を得ることができる。
【００１９】
本実施形態によれば、ウイルス等の不活性化機能を維持しつつ、説明等といった所望の表示を表示可能な靴用マットを得る。
【００２０】
また、表面シート１１０の表面１１１は、抗ウイルス効果を有するところ、表面１１１に所望の表示を印刷すると、抗ウイルス効果を発揮する要素を印刷インクが覆ってしまい、表面１１１が抗ウイルス効果を発揮できなくなる。しかしながら本実施形態によれば、表面１１１を印刷インクが覆うことなく所望の表示を表示可能である。
【００２１】
なお、表示シート１２０は光透過性でなくてもよく、紙であってもよい。また、表示シート１２０に描かれる所望の表示は、前述のものに限定されず、製造者の名称や、その他のメッセージなどであってもよい。
【００２２】
次に、図３及び４を参照して、本考案の第２の実施形態による第２の靴用マット２００について説明する。第１の実施形態と同様の構成については、同じ符号を付して説明を省略する。図２において左右方向を幅、上下方向を奥行きといい、図３において左右方向を奥行き、上下方向を厚さという。
【００２３】
第２の靴用マット２００は、表面シート２１０と、支持部材１３０とを主に備える。図２の平面視における第１の靴用マット１００の大きさは、Ａ４サイズ（幅２１０ｍｍ×奥行き２９７ｍｍ）としたが、あるいは幅２１０ｍｍ×奥行き２１０ｍｍ、幅２１０ｍｍ×奥行き２６０ｍｍ、幅２１０ｍｍ×奥行き３１０ｍｍであってもよい。
【００２４】
表面シート２１０は、光透過性を有するシートであって、その表面１１１に所望の抗菌及び／又は抗ウイルス材が適用されており、これにより、表面１１１において抗菌及び／又は抗ウイルス効果、つまり菌及びウイルスの不活性化機能を有する。表面シート１１０の表面１１１に載せられて接触するもの、例えば靴の底に付着した様々な菌やウイルスは、表面１１１の抗ウイルス効果によって、所定の感作時間後に著しく減少する。感作時間は例えば３０〜１２０分であって、例えば３０分後に９９％のウイルス等が減少する。
【００２５】
表面シート２１０の裏面２１２には、所望の表示が印刷される。所望の表示は、例えば「ここに靴を置いてください！」といった、第２の靴用マット２００の使用手法を説明する文章や、「靴底についたウイルスや細菌を３０分後には９９％減少！」といった第２の靴用マットの機能を説明する文章や、これらの文章を英語や中国語で示した文章、規格や製造業者を示す記号、あるいは靴底の外形を表す画像等である。
【００２６】
表面シート２１０の裏面２１２に所望の接着剤をもって、支持部材１３０の表面１３１が貼り付けられ、支持部材１３０が表面シート２１０を支持する。これにより、第２の靴用マット２００が作成される。
【００２７】
表面シート２１０は光透過性を有するため、裏面２１２に描かれた文字や画像は、表面シート２１０を透過して、外部から視認されうる。
【００２８】
第２の靴用マット２００は、例えば靴箱の中に予め設置される。第２の靴用マット２００は、前述のようにＡ４サイズ（２１０ｍｍ×２９７ｍｍ）であるため、一般に広く用いられている靴箱に挿入することができ、かつ概ねサイズ３１．０ｃｍまでの靴を載せることができる。なお、第２の靴用マット２００の大きさが幅２１０ｍｍ×奥行き２１０ｍｍである場合には、サイズ２１．０ｃｍの靴を置くことができ、幅２１０ｍｍ×奥行き２６０ｍｍである場合には、サイズ２６．０ｃｍの靴を置くことができ、幅２１０ｍｍ×奥行き３１０ｍｍである場合には、サイズ３１．０ｃｍの靴を置くことができる。第２の靴用マット２００の使用態様については、第１の靴用マット１００同様であるため、説明を省略する。
【００２９】
本実施形態によれば、第１の実施形態と同様の効果を得る。また、第１の実施形態と比較して、表示シートを貼付する工程を省けるため、製造工程を簡略化できる。
【００３０】
なお、表示シート２２０の裏面２１２に描かれる所望の表示は、前述のものに限定されず、製造者の名称や、その他のメッセージなどであってもよい。
【００３１】
次に、図５を参照して、本考案の第３の実施形態による第３の靴用マット３００について説明する。第１及び第２の実施形態と同様の構成については、同じ符号を付して説明を省略する。図５において左右方向を奥行き、上下方向を厚さという。
【００３２】
第３の靴用マット３００は、表面シート１１０と、表示シート１２０と、支持部材３３０と、隆起部３４０とを主に備える。正面視における第３の靴用マット３００の大きさは、第２の靴用マット２００と同様であるため、説明を省略する。本実施形態では、第３の靴用マット３００の表面において、隆起した部分が設けられる点が他の実施形態と異なる。表面シート１１０及び表示シート１２０の構成は第１の実施形態と同様であるため、説明を省略する。
【００３３】
支持部材３３０は、所定の厚みを有するシートであって、所望の折り曲げ強度を有する。支持部材３３０の材料として、発泡スチロール、厚紙、ウレタン、ゴム、５ｍｍ厚ＥＶＡ、３ｍｍ厚発泡ＰＶＣ、１．２５ｍｍ厚樹脂含侵不織布、繊維、キャンバス生地（布）、ビニール、プラスチック、板（木材）などのいずれか、あるいはこれらの組み合わせが用いられうる。
【００３４】
隆起部３４０は、第１から第４の隆起板３４１〜３４４を備え、支持部材３３０の上辺側に設けられる。隆起部３４０の幅は、第３の靴用マット３００の幅と同じである。第１から第４の隆起板３４１〜３４４は、支持部材３３０と同じ素材から成り、支持部材３３０よりも薄い厚みを有するシートであって、所望の折り曲げ強度を有する。第１から第４の隆起板３４１〜３４４については、各々の上辺側端部を合わせるようにして、第１の隆起板３４１の裏面３４１ｂに第２の隆起板３４２の表面３４２ａが貼り付けられ、第２の隆起板３４２の裏面３４２ｂに第３の隆起板３４３の表面３４３ａが貼り付けられ、第３の隆起板３４３の裏面３４３ｂに第４の隆起板３４４の表面３４４ａが貼り付けられ、第４の隆起板３４４の裏面３４４ｂに支持部材３３０の表面３３１が貼り付けられる。これにより、支持部材３３０の上辺側に隆起部３４０が取り付けられ、支持部材３３０の上辺側端部が隆起する。
【００３５】
表面シート１１０の裏面１１２に表示シート１２０の表面１２１が貼り付けられ、表示シート１２０の裏面１２２に、第１の隆起板３４１の表面３４１ａ、第２の隆起板３４２の表面３４２ａ、第３の隆起板３４３の表面３４３ａ、第４の隆起板３４４の表面３４４ａ、及び支持部材３３０の表面３３１が貼り付けられ、支持部材３３０が表面シート１１０及び表示シート１２０を支持する。これにより、第３の靴用マット３００が作成される。
【００３６】
第３の靴用マット３００は、その中心から上辺側に近づくにつれて厚みが増し、これにより上辺側が隆起する。つまり、隆起部３４０の隆起高さは、第３の靴用マット３００の中心から上辺側端部に向けて高くなる。好ましくは、隆起部３４０は、第３の靴用マット３００の上辺側端部から奥行き全長約３／７の位置から約４５度の角度で隆起しはじめ、上辺側端部まで連続的に高さが増加し、最高高さは４０ｍｍ以下となる。なお、上記角度は３０度から５０度が好ましく、最高高さは４５ｍｍ以下が好ましい。
【００３７】
第３の靴用マット３００の使用態様について説明する。第３の靴用マット３００は、例えば靴箱の中に予め設置される。靴箱の利用者は、靴箱の中に靴を収納すると、自動的に第３の靴用マット３００の上に靴を置くことになる。一般に、着用者の歩行を容易にするため、靴底のつま先側は鉛直上方に向けて反っている。このような靴を、隆起部３４０を有さない平坦な板上に置くと、反ったつま先が平坦板から浮いてしまい、平坦板に接触できない。しかしながら、第３の靴用マット３００の上に靴を置くと、反ったつま先が隆起部３４０に一致して、つま先側から踵までの靴底全長に渡って表面シート１１０の表面１１１に接触し、靴底に付着したウイルス等を減少させることができる。
【００３８】
本実施形態によれば、ウイルス等の不活性化機能を維持しつつ、説明等といった所望の表示を表示可能な靴用マットを得る。
【００３９】
隆起部３４０の構成は単なる例示であって、隆起部３４０を支持部材３３０に貼り付けるのではなく、上辺側を隆起するように支持部材３３０を一体的に成形してもよく、また、複数の板部材を重ねて隆起部３４０とするのでなく、側面視三角形又は台形である部材を一体成形して隆起部としてもよい。
【００４０】
なお、本明細書および図中に示した各部材の大きさは例示であって、これらの大きさに限定されない。また、各部材の素材は例示であって、これらの素材に限定されない。
【００４１】
ここに付随する図面を参照して本考案の実施形態が説明されたが、記載された考案の範囲と精神から逸脱することなく、変形が各部の構造と関係に施されることは、当業者にとって自明である。
【符号の説明】
【００４２】
１００  第１の靴用マット
１１０  表面シート
１１１  表面
１１２  裏面
１２０  表示シート
１２１  表面
１２２  裏面
１３０  支持部材
１３１  表面
２００  第２の靴用マット
２１０  表面シート
２１１  表面
２１２  裏面
３００  第３の靴用マット
３３０  支持部材
３３１  表面
３４０  隆起部
３４１  第１の隆起板
３４１ａ  表面
３４１ｂ  裏面
３４２  第２の隆起板
３４２ａ  表面
３４２ｂ  裏面
３４３  第３の隆起板
３４３ａ  表面
３４３ｂ  裏面
３４４  第４の隆起板
３４４ａ  表面
３４４ｂ  裏面
【図１】
0003230487.tif 000003
【図２】
0003230487.tif 000004
【図３】
0003230487.tif 000005
【図４】
0003230487.tif 000006
【図５】
0003230487.tif 000007